【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
バンドギャップ電圧に基づく所定の基準電圧を出力する出力段を含んで構成された基準
電圧発生回路において、
電源電圧の低下により所定の基準電圧が出力されなくなったことを検出し、該検出信号
を基準電圧低下時の制御論理を固定するための信号として出力する論理固定信号出力手段
を備えていることを特徴とする基準電圧発生回路。
【請求項２】
前記論理固定信号出力手段が、前記電源電圧の低下により所定の基準電圧が出力されな
くなったことを、電流源から供給される前記出力段の駆動電流が該出力段に全て流された
ことで検出するものであることを特徴とする請求項１記載の基準電圧発生回路。
【請求項３】
前記出力段に流れる駆動電流量を調整する電流量調整手段を備え、
前記論理固定信号出力手段が、前記駆動電流が前記出力段に全て流されたことを、前記
電流量調整手段に流れる電流を検出する電流検出手段で検出するものであることを特徴と
する請求項２記載の基準電圧発生回路。
【請求項４】
前記出力段に流れる駆動電流量を調整する電流量調整手段を備え、
前記論理固定信号出力手段が、前記駆動電流が前記出力段に全て流されたことを、前記
電流量調整手段に流れる電流量に基づいてスイッチング動作を行うスイッチ手段で検出す
るものであることを特徴とする請求項２記載の基準電圧発生回路。
【請求項５】
前記論理固定信号出力手段が、ヒステリシス特性を有するものであることを特徴とする
請求項１〜４のいずれかの項に記載の基準電圧発生回路。
【請求項６】
請求項１〜５のいずれかの項に記載の基準電圧発生回路から出力される基準電圧信号と
電源電圧の抵抗分圧信号とを比較する比較手段と、
前記基準電圧発生回路から出力される論理固定信号と前記比較手段から出力される減電
圧検知信号とが入力され、減電圧時に論理固定された信号を出力する論理ゲート部とを備
えていることを特徴とする誤出力防止回路。
【請求項７】
バンドギャップ電圧に基づく所定の基準電圧を出力する出力段を含んで構成された基準
電圧発生回路において、
電源電圧の低下により所定の基準電圧が出力されなくなったことを、電流源から前記出
力段へ供給される駆動電流の供給状態の変化に基づいて検出し、該検出信号を基準電圧低
下時の制御論理を固定するための信号として出力する論理固定信号出力手段を備えている
ことを特徴とする基準電圧発生回路。
【請求項８】
バンドギャップ電圧に基づく所定の基準電圧を出力する出力段と、電源電圧の低下によ
り前記基準電圧が出力されなくなったことを検出し、該検出信号を基準電圧低下時の制御
論理を固定するための信号として出力する論理固定信号出力手段とを有する基準電圧発生
回路と、
該基準電圧発生回路から出力される基準電圧信号と電源電圧の抵抗分圧信号とを比較す
る比較手段と、前記基準電圧発生回路から出力される論理固定信号と前記比較手段から出
力される減電圧検知信号とが入力され、減電圧時に論理固定された信号を出力する論理ゲ
ート部とを有する誤出力防止回路と、
前記論理ゲート部から出力される前記論理固定された信号が入力される制御手段とを備
えていることを特徴とする制御装置。
【手続補正２】
【補正対象書類名】明細書
【補正対象項目名】発明の名称
【補正方法】変更
【補正の内容】
【発明の名称】基準電圧発生回路、誤出力防止回路、及び制御装置
【手続補正３】
【補正対象書類名】明細書
【補正対象項目名】０００１
【補正方法】変更
【補正の内容】
【０００１】
本発明は基準電圧発生回路、誤出力防止回路、及び制御装置に関し、より詳細にはバン
ドギャップ電圧に基づく所定の基準電圧を出力する基準電圧発生回路、前記基準電圧の低
下による信号の誤出力を防止することのできる誤出力防止回路、及びこれらを含む制御装
置に関する。
【手続補正４】
【補正対象書類名】明細書
【補正対象項目名】００１１
【補正方法】変更
【補正の内容】
【００１１】
本発明は上記課題に鑑みなされたものであって、出力される基準電圧の低下を検出して
、基準電圧低下時の制御論理を固定させる信号を出力することのできる基準電圧発生回路
、回路規模や消費電流を大きくすることなく、電源電圧低下時における誤出力の発生を防
止することのできる誤出力防止回路、及びこれらを含む制御装置を提供することを目的と
している。
【手続補正５】
【補正対象書類名】明細書
【補正対象項目名】００２３
【補正方法】変更
【補正の内容】
【００２３】
上記誤出力防止回路（１）によれば、前記基準電圧発生回路から出力される論理固定信
号を用いることにより、減電圧時の出力論理を固定することができ、回路規模や消費電流
を大きくすることなく、減電圧時における出力論理の異常、すなわち信号の誤出力を防止
することができる。
また本発明に係る基準電圧発生回路（６）は、バンドギャップ電圧に基づく所定の基準
電圧を出力する出力段を含んで構成された基準電圧発生回路において、電源電圧の低下に
より所定の基準電圧が出力されなくなったことを、電流源から前記出力段へ供給される駆
動電流の供給状態の変化に基づいて検出し、該検出信号を基準電圧低下時の制御論理を固
定するための信号として出力する論理固定信号出力手段を備えていることを特徴としてい
る。
上記基準電圧発生回路（６）によれば、前記電源電圧の低下により所定の基準電圧が出
力されなくなったことを、電流源から前記出力段へ供給される駆動電流の供給状態の変化
に基づいて検出し、該検出信号が基準電圧低下時の制御論理を固定するための信号として
出力されるので、前記所定の基準電圧を出力するのみならず、該所定の基準電圧が出力さ
れなくなったことを検出して、論理固定信号を出力することができ、該論理固定信号を基
準電圧低下時の誤論理の発生防止に役立てることができる。
また本発明に係る制御装置（１）は、バンドギャップ電圧に基づく所定の基準電圧を出
力する出力段と、電源電圧の低下により前記基準電圧が出力されなくなったことを検出し
、該検出信号を基準電圧低下時の制御論理を固定するための信号として出力する論理固定
信号出力手段とを有する基準電圧発生回路と、該基準電圧発生回路から出力される基準電
圧信号と電源電圧の抵抗分圧信号とを比較する比較手段と、前記基準電圧発生回路から出
力される論理固定信号と前記比較手段から出力される減電圧検知信号とが入力され、減電
圧時に論理固定された信号を出力する論理ゲート部とを有する誤出力防止回路と、前記論
理ゲート部から出力される前記論理固定された信号が入力される制御手段とを備えている
ことを特徴としている。
上記制御装置（１）によれば、前記基準電圧発生回路によって、前記電源電圧の低下に
より所定の基準電圧が出力されなくなったことが検出され、該検出信号が基準電圧低下時
の制御論理を固定するための信号として出力されるので、前記所定の基準電圧を出力する
のみならず、該所定の基準電圧が出力されなくなったことを検出して、論理固定信号を出
力することができ、該論理固定信号を基準電圧低下時の誤論理の発生防止に役立てること
ができる。
また、前記基準電圧発生回路から出力される論理固定信号を前記誤出力防止回路で用い
ることにより、減電圧時の出力論理を固定することができ、回路規模や消費電流を大きく
することなく、減電圧時における出力論理の異常、すなわち信号の誤出力を防止すること
ができ、前記制御手段における減電圧時の誤リセットを防止することができる。